(57)【要約】      （修正有）【課題】中間支柱の着脱が簡単で、且つ、支柱取外し状態時の車両運行性、美観、安全性、環境衛生的に優れた着脱式中間支柱を提供する。【解決手段】中間支柱３０を支柱本体３１と角型セットプレート３２或いは丸型セットプレート３３に二分割して設け、且つ、該支柱本体３１側の上端部に着脱可能なチェーンサポート用溝部を設け、且つ、支柱本体３１側の下端部に挿着用フランジ部とセットプレート側に前記挿着用フランジ部を水平方向に挿着可能な溝部を形成して、支柱を水平方向に自在に挿着可能に設け、且つ、セットプレートの底板部に支柱の抜け止め用止めネジを螺着して設けたものである。【選択図】図４
0003206415.tif 000002
【実用新案登録請求の範囲】
【請求項１】
駐車場や公共施設等の進入路や歩道、催し場等の区画整備の左右両脇部に、内部にチェーン（Ｃ）を手動式巻き取り収納可能なメイン支柱（１０）とサブ支柱（２０）との間に中間支柱（３０）をそれぞれ立設した侵入防止装置において、中間支柱（３０）を支柱本体（３１）と角型セットプレート（３２）或いは丸型セットプレート（３３）に二分割して設け、且つ、該支柱本体（３１）側の上端部に着脱可能なチェーンサポート用溝部（３１ａ）を設け、且つ、支柱本体（３１）側の下端部に挿着用フランジ部（３１ｄ）とセットプレート側に前記挿着用フランジ部（３１ｄ）を水平方向に挿着可能な溝部（３３ｂ）を形成して、支柱を水平方向にに嵌脱可能に設け、且つ、セットプレートの底板部（３２ａ‘）（３３ａ’）に支柱の抜け止め用止めネジ（Ｂ２）を螺着して設けた事を特徴とする着脱式中間支柱。
【考案の詳細な説明】
【技術分野】
【０００１】
この考案は、侵入防止装置のメイン支柱とサブ支柱の中間部に設置する着脱式中間支柱に関するものである。
【背景技術】
【０００２】
従来、侵入防止装置には、チェーンを張設したものが多く、又、出入口の横幅寸法が広い場合は、中間部に中間支柱を設けて、チェーンを支持しているが、車両が出入りする毎に中間支柱を外す必要がある。
【０００３】
その為、現状の中間支柱は、掘削機等を使用して地面に円筒形の穴を掘って抜き差し可能に設けたものが大半である。従って、施工時間と多額の費用が掛かるのみならず、支柱を取り外した時、穴部に水が溜り、美観性や安全性、環境衛生的にも悪影響を来す等、問題が多々あった。
【先行技術文献】
【特許文献】
【０００４】
【特許文献１】特願２００５−００２５５９
【特許文献２】特願２００６−１８８９１４
【０００５】
そこで、簡単に支柱の着脱が可能で、且つ、支柱を取り外した場合でも、美観性や安全性や環境衛生的にも優れ、且つ、構造が簡単で安価で施工が簡単な着脱式中間支柱を早期に開発する事が望まれている。
【考案の開示】
【考案が解決しようとする課題】
【０００６】
そこで、この考案は、駐車場や公共施設、催し場等の区画整備等において、出入口にチェーンを張ったり、解放したりして出入の規制を行っている侵入防止装置の中間支柱であって、中間支柱の着脱が簡単で、且つ、支柱取外し状態時の車両運行性、美観、安全性、環境衛生的に優れた着脱式中間支柱を早期に開発・提供することにある。
【課題を解決するための手段】
【０００７】
この課題を解決するための手段として、この考案は中間支柱を支柱と角型セットプレート或いは丸型セットプレートに二分割して設け、且つ、該支柱側の上端部に着脱可能なチェーンサポート用溝部を設け、且つ、支柱側の下端部に挿着用フランジ部とセットプレート側に前記挿着用フランジ部を水平方向に挿着可能な溝部を形成して、支柱を水平方向に自在に着脱可能に設け、且つ、セットプレートの底板部に支柱の抜け止め用止めネジを螺着して設けた事を特徴とするものである。
【考案の効果】
【０００８】
この考案の効果として、中間支柱を支柱と角型セットプレート或いは丸型セットプレートに二分割して設け、且つ、該支柱側の上端部に着脱可能なチェーンサポート用溝部を設け、且つ、支柱側の下端部に挿着用フランジ部とセットプレート側に前記挿着用フランジ部を水平方向に着脱可能な溝部を形成して、支柱を水平方向に自在に着脱可能に設け、且つ、セットプレートの底板部に支柱の抜け止め用止めネジを螺着して設けたことで、簡単に支柱の着脱が可能で、且つ、支柱を取り外した場合でも、美観性や安全性や環境衛生的にも優れ、且つ、構造が簡単で安価で施工が簡単に出来る等、極めて有益なる効果を奏するものである。
【図面の簡単な説明】
【０００９】
【図１】この考案の一実施例を示し、（Ａ）は中間支柱の平面図で、（Ｂ）は正面図で、（Ｃ）は右側面図である。
【図２】この考案の一実施例を示し、（Ａ）は角型セットプレートの平面図で、（Ｂ）は正面図である。
【図３】この考案の一実施例を示し、（Ａ）は丸型セットプレートの平面図で、（Ｂ）は正面図である。
【図４】この考案の一実施例を示し、（Ａ）は着脱式中間支柱とセットプレートとの正面視組立図で、（Ｂ）は挿着要領を示す斜視図ある。
【図５】この考案の一実施例を示し、全体使用状態図で、（Ａ）は閉鎖時を示し、（Ｂ）は解放時を示す。
【考案を実施するための形態】
【００１０】
この考案を実施するための形態として、本考案の着脱式支柱は屋外で使用し、車両の通行量が多く、頻繁に支柱を着脱する為、錆びに強い材質で、耐久性に優れ変形し難い形状・構造で、誰もが容易に着脱可能でコスト的にも安価なものにする必要がある。
【実施例１】
【００１１】
そこで、この考案の一実施例を図１〜図４に基づいて詳述すると、駐車場や公共施設、催し場等の区画整備等の進入路の左右両脇部に、内部にチェーンを手動式巻き取り収納可能なメイン支柱（１０）とサブ支柱（２０）との間に中間支柱（３０）をそれぞれ立設した侵入防止装置において、中間支柱（３０）を支柱本体（３１）と角型セットプレート（３２）或いは丸型セットプレート（３３）に二分割して設け、且つ、該支柱本体（３１）側の上端部に着脱可能なチェーンサポート用溝部（３１ａ）を設け、且つ、支柱本体（３１）側の下端部に挿着用フランジ部（３１ｄ）とセットプレート側に前記挿着用フランジ部（３１ｄ）を水平方向に挿着可能な溝部（３３ｂ）を形成して、支柱を水平方向に自在に着脱可能に設け、且つ、セットプレートの底板部（３２ａ’）（３３ａ’）に支柱の抜け止め用止めネジ（Ｂ２）を螺着して設けた事を特徴とする着脱式中間支柱から構成される。
【００１２】
又、Ｈ１７年１月７日に出願した特許第４３９２５１９号の安全防止付侵入防止装置の中間支柱も同様であるが、一般的に市販されている中間支柱は上下方向の差し込みタイプが多く見られるが、前記でも述べた様に、差し込みタイプにした場合の欠点は、施工時間が掛かりコスト的に高価になる為、施工が簡単で支柱の着脱も簡単に出来る構造に改良する必要がある。
【００１３】
そこで、本考案の着脱式中間支柱（３０）は、支柱本体（３１）とセットプレート（３２），（３３）に二分割し、且つ、支柱本体（３１）をセットプレート（３２），（３３）側にワンタッチで誰もが簡単に着脱可能な構造にしたものである。又、前記セットプレートに関しては、角型セットプレート（３２）と丸型セットプレート（３３）の２種類あって、用途に応じてどちらを使用するか一方を選択して使用するものである。
【００１４】
そして、図１に示すように、支柱本体（３１）側の一方上端部は従来品と同様に、Ｕ字状のチェーンサポート用溝部（３１ａ）を形成して設け、且つ、Ｕ字状溝部の両端中心部にチェーンサポート案内板（３１ｃ）を設け、且つ、該案内板（３１ｃ）の中心部はチェーン（Ｃ）が通過できる程度の隙間部（３１ｂ）を設けている。又、他方下端部は四角形状の挿着用フランジ部（３１ｄ）を形成して設けている。
【００１５】
又、支柱本体を挿着するセットプレートは、（００１３）でも述べた様に、図２に示す角型と、図３に示す丸型の２種類あって、それぞれのセットプレートには支柱本体の下端部に設けた四角形状の挿着用フランジ部が着脱可能な溝部を形成して設け、且つ、セットプレートの中心左右には、セットプレートをアンカーボルト等の係止部材で固着するための係止用ボルト穴（３３ｃ）をそれぞれ設け、且つ、セットプレート底板部（３２ａ'）には、支柱を固定する為の抜け止め用ビス穴（３２ｄ）を設け、更に角型及び丸型セットプレートの上面全周角部は、安全性、美観性を考慮してＲ状に面取り仕上げを施している。
【００１６】
又、図４（Ａ）は中間支柱の組立図を示し、（Ｂ）は支柱本体（３１）をセットプレート（３２），（３３）側に挿着する為の組立要領斜視図を示す。又、図４（Ａ）に示すように、支柱本体をセットプレート側に挿着後は、抜け止め用ビス（Ｂ２）を螺着して支柱本体を固定する。
【００１７】
又、図５（Ａ）はメイン支柱（１０）、サブ支柱（２０）、中間支柱（３０）を含む侵入防止装置全体の閉鎖状態図を示し、（Ｂ）はチェーンを巻き取り収納し、中間支柱の支柱本体側を取り外した解放状態図を示す。
【産業上の利用可能性】
【００１８】
この考案の着脱式中間支柱は、簡単に支柱の着脱が可能で、且つ、支柱を取り外した場合でも、美観性や安全性や環境衛生的にも優れ、且つ、構造が簡単で安価で施工が簡単に出来る為、多くの駐車場や公共施設等に寄与する点で産業上の利用可能性を有する。
【符号の説明】
【００１９】
１０  メイン支柱
２０  サブ支柱
３０  中間支柱
３１  支柱本体
３１ａ  チェーンサポート用溝部
３１ｂ  チェーン通し隙間部
３１ｃ  チェーンサポート用案内板
３１ｄ  挿着用フランジ部
３２  角型セットプレート
３２ａ  角型セットプレート本体
３２ａ'  底板部
３２ｂ  溝部
３２ｃ  係止用ボルト穴
３２ｄ  抜け止め用ビス穴
３３  丸型セットプレート
３３ａ  丸型セットプレート本体
３３ａ'  底板部
３３ｂ  溝部
３３ｃ  係止用ボルト穴
３３ｄ  抜け止め用ビス穴
Ｂ１  セットプレート係止部材
Ｂ２  抜け止め用ビス
Ｃ  チェーン
【図１】
0003206415.tif 000003
【図２】
0003206415.tif 000004
【図３】
0003206415.tif 000005
【図４】
0003206415.tif 000006
【図５】
0003206415.tif 000007